(57)【要約】【課題】スキャンした画像の電子ファイルを、情報漏洩のリスクを低減しつつ、簡単な操作でユーザに提供する。【解決手段】ＭＦＰ１０は、原稿画像をスキャンして画像データを入力し、入力した画像データを所定のデータ形式の電子ファイルに変換し、変換した電子ファイルにファイル名を付与し、ファイル名が付与された電子ファイルをサーバ２０にアップロードし、アップロードした電子ファイルのファイル名およびサーバ２０のアドレスを含むアクセス情報を印刷する。サーバ２０は、ＭＦＰ１０からアップロードされた電子ファイルを記憶し、アクセス情報のファイル名を含む電子ファイルアクセス要求を携帯端末３０から受け付け、受け付けた電子ファイルアクセス要求が有効か否かをファイル名に基づき判定し、電子ファイルアクセス要求が有効と判定した場合に、電子ファイルアクセス要求に応じた電子ファイルを携帯端末３０に送信する。【選択図】図１
2018160900.tif 000002
【特許請求の範囲】
【請求項１】
サーバ装置とネットワークを介して接続された複合機であって、
原稿画像をスキャンして画像データを読取る画像読取部と、
前記画像読取部で読取られた画像データの前記サーバ装置への送信を制御し、前記送信された画像データのアクセス情報のユーザへの提示を制御する制御部と、を備え、
ユーザに対応したアクセス制限情報を前記画像データと共に前記サーバ装置に送信することを特徴とする複合機。
【請求項２】
請求項１に記載の複合機であって、
前記アクセス情報は複合機により印刷されることを特徴とする複合機。
【請求項３】
請求項１又は２に記載の複合機であって、
前記ユーザに対応したアクセス制限情報とは、ユーザにより複合機の操作パネルを介して入力されたアクセス制限情報であることを特徴とする複合機。
【請求項４】
請求項１乃至３の何れか１項に記載の複合機であって、
前記アクセス制限情報は複合機により印刷されないものであることを特徴とする複合機。
【請求項５】
請求項１乃至４の何れか１項に記載の複合機であって、印刷される前記アクセス情報は、ＱＲコード（登録商標）に変換された情報を含むことを特徴とする複合機。
【請求項６】
サーバ装置とネットワークを介して接続された複合機によるスキャンサービス方法であって、
原稿画像をスキャンして画像データを読取る画像読取ステップと、
前記画像読取ステップで読取られた画像データの前記サーバ装置への送信を制御し、前記送信された画像データのアクセス情報のユーザへの提示を制御する制御ステップと、を有し、
ユーザに対応したアクセス制限情報を前記画像データと共に前記サーバ装置に送信することを特徴とするスキャンサービス方法。
【請求項７】
請求項６に記載のスキャンサービス方法であって、
前記ユーザに対応したアクセス制限情報とは、ユーザにより複合機の操作パネルを介して入力されたアクセス制限情報であることを特徴とするスキャンサービス方法。
【請求項８】
請求項６又は７に記載のスキャンサービス方法であって、
前記アクセス制限情報は、複合機により印刷されないものであることを特徴とするスキャンサービス方法。
【請求項９】
請求項６乃至８の何れか１項に記載の複合機において、印刷される前記アクセス情報は、ＱＲコード（登録商標）に変換された情報を含むことを特徴とするスキャンサービス方法。
【請求項１０】
コンピュータに請求項６乃至９の何れか１項に記載のスキャンサービス方法を実行させるためのスキャンサービス用プログラム。
【発明の詳細な説明】
【技術分野】
【０００１】
本発明は、複合機、スキャンサービス方法及びスキャンサービス用プログラムに関し、より詳細には、原稿画像をスキャンした画像データを提供する複合機、スキャンサービス方法及びスキャンサービス用プログラムに関する。
【背景技術】
【０００２】
従来、原稿画像（印刷物）を電子的な画像データとして利用する場合、原稿画像をスキャナで読み取って画像データ化し、その画像データを電子メールに添付して携帯端末等に送信する方法が一般的に行われている。しかしながら、このような方法では、電子メールアドレスを入力する際の単純な操作ミスにより、画像データが間違った電子メールアドレスに送信されてしまい情報漏洩につながる虞がある。
【０００３】
上記の問題に対して、例えば、特許文献１には、原稿をスキャナで読み取って電子ファイルを生成し、この電子ファイルにパスワードを付与した後に、パスワード付き電子ファイルをユーザが指定した電子メールアドレスに送信する技術が記載されている。例えば、ユーザ自身のＰＣ（パーソナルコンピュータ）にパスワード付き電子ファイルを電子メールに添付して送信し、ユーザがＰＣにパスワードを入力することで電子ファイルの画像を閲覧等することができる。
【先行技術文献】
【特許文献】
【０００４】
【特許文献１】特開２００７−２０８９１４号公報
【発明の概要】
【発明が解決しようとする課題】
【０００５】
しかしながら、上記特許文献１に記載の技術のように、デジタル複合機（ＭＦＰ）でスキャンした画像の電子ファイルを電子メールに添付して自身の携帯端末などに送信する方法では、ユーザがデジタル複合機に対して電子メールアドレスを設定するための入力操作を行う必要がある。このような電子メールアドレスの入力操作はデジタル複合機の操作に不慣れなユーザにとっては容易ではない。また、ユーザが自身の携帯端末の電子メールアドレスを覚えていないこともあり、この場合には電子メールアドレスを設定できないという問題がある。
【０００６】
また、コインベンダ式のデジタル複合機をコンビニエンスストアなどの店舗に設置して、上記のような電子ファイル送信を行うサービスが提供されている。このような場合にも、デジタル複合機の操作に不慣れなユーザが電子メールアドレスの入力操作に手間取り、順番待ちをしている他のユーザを長時間待たせてしまうという問題がある。
【０００７】
本発明は、上述のごとき実情に鑑みてなされたもので、スキャンした画像の電子ファイルを、情報漏洩のリスクを低減しつつ、簡単な操作でユーザに提供することができる複合機、スキャンサービス方法及びスキャンサービス用プログラムを提供することを目的とする。
【課題を解決するための手段】
【０００８】
本発明によれば、
サーバ装置とネットワークを介して接続された複合機であって、
原稿画像をスキャンして画像データを読取る画像読取部と、
前記画像読取部で読取られた画像データの前記サーバ装置への送信を制御し、前記送信された画像データのアクセス情報のユーザへの提示を制御する制御部と、を備え、
ユーザに対応したアクセス制限情報を前記画像データと共に前記サーバ装置に送信することを特徴とする複合機が提供される。
【０００９】
また、本発明によれば、
サーバ装置とネットワークを介して接続された複合機によるスキャンサービス方法であって、
原稿画像をスキャンして画像データを読取る画像読取ステップと、
前記画像読取ステップで読取られた画像データの前記サーバ装置への送信を制御し、前記送信された画像データのアクセス情報のユーザへの提示を制御する制御ステップと、を有し、
ユーザに対応したアクセス制限情報を前記画像データと共に前記サーバ装置に送信することを特徴とするスキャンサービス方法が提供される。
【００１０】
更に本発明によれば、コンピュータに上記のスキャンサービス方法を実行させるためのスキャンサービス用プログラムが提供される。
【発明の効果】
【００１１】
本発明によれば、画像形成装置によりスキャンサービスを提供する際に、電子メールアドレスの入力間違いに起因する情報漏洩のリスクを低減すると共に、電子ファイルの保存先（ユーザの携帯端末の電子メールアドレスなど）を指定する操作を不要にすることができる。そして、このように操作が簡単なため、画像形成装置が例えばコンビニエンスストア等の店舗に設置されている場合、順番待ちをしている他のユーザを長時間待たせてしまうことがない。
【図面の簡単な説明】
【００１２】
【図１】本発明の一実施形態に係るスキャンサービスシステムの構成例を示す図である。
【図２】本発明に係るＭＦＰの構成例を示すブロック図である。
【図３】本発明に係るインターネットサーバの構成例を示すブロック図である
【図４】ＭＦＰによる初期表示処理の一例を説明するためのフロー図である。
【図５】サービス選択画面の一例を示す図である。
【図６】図１のスキャンサービスシステムによるスキャンサービス方法の一例について説明するためのフロー図である。
【発明を実施するための形態】
【００１３】
以下、添付図面を参照しながら、本発明のスキャンサービスシステム、方法、およびプログラムの好適な実施の形態について説明する。
【００１４】
図１は、本発明の一実施形態に係るスキャンサービスシステムの構成例を示す図である。図中、１０は各店舗に設置される画像形成装置の一例であるデジタル複合機（以下、ＭＦＰという）、２０はデータ保管センタに設置されるサーバ装置の一例であるインターネットサーバ、３０はユーザが使用する通信端末の一例である携帯端末を示す。ここで、店舗とは、例えば、コンビニエンスストア、公共施設、貸しオフィス、大学、ホテル等の施設を総称したものである。本実施形態のスキャンサービスシステムは、１台以上のＭＦＰ１０と、インターネットサーバ２０とがネットワークＬＮを介して通信可能に接続されると共に、携帯端末３０とインターネットサーバ２０とがネットワークＬＮを介して通信可能に接続されている。なお、ユーザが使用する通信端末は、携帯電話機、スマートフォンなどの携帯端末として例示するが、携帯端末以外であってもよく、例えば、ＰＣ（パーソナルコンピュータ）などであってもよい。
【００１５】
図１のシステム構成において、スキャンサービスを行う場合、ユーザは原稿を持って例えば店舗ＡＢＣに出向き、ＭＦＰ１０に原稿をセットし、ＭＦＰ１０のスキャン開始ボタンを操作する。これによりＭＦＰ１０は、スキャンした画像を所定のデータ形式の電子ファイルに変換し、この電子ファイルをネットワークＬＮを介してインターネットサーバ２０にアップロードすると共に、インターネットサーバ２０にアクセスし電子ファイルを取得するために必要なアクセス情報を印刷する。また、インターネットサーバ２０はＭＦＰ１０からアップロードされた電子ファイルを保存する。ユーザはＭＦＰ１０により印刷されたアクセス情報に基づき自分の携帯端末３０からインターネットサーバ２０にアクセスする。インターネットサーバ２０は、携帯端末３０からのアクセス要求に応じて、ユーザの電子ファイルを携帯端末３０に送信する。このようにして、ユーザは簡単な操作で原稿をスキャンした画像データを得ることができる。
【００１６】
上記より、ＭＦＰ１０への電子メールアドレスの入力間違いに起因する情報漏洩のリスクを低減すると共に、ＵＳＢ(Universal Serial Bus)メモリなどの記録媒体をセットする操作や、電子ファイルの保存先（ユーザの携帯端末の電子メールアドレスなど）を指定する操作を不要にすることができる。そして、このように操作が簡単なため、ＭＦＰ１０が例えばコンビニエンスストア等の店舗に設置されている場合、順番待ちをしている他のユーザを長時間待たせてしまうことがない。
【００１７】
図２は、本発明に係るＭＦＰ１０の構成例を示すブロック図である。図２（Ａ）はＭＦＰ１０の要部構成を示し、図２（Ｂ）は制御部の構成を示す。ＭＦＰ１０は、コンビニエンスストアなどの各店舗に設置されており、スキャナ機能、プリント機能、コピー機能、ファクシミリ機能などを備え、ユーザが図示しないコインベンダから料金を投入することで、ユーザに対し所望のサービス（スキャンサービス、プリントサービス、コピーサービス、ファクシミリサービスなど）を提供することができる。
【００１８】
図２（Ａ）に示すように、ＭＦＰ１０は、ＣＰＵ(Central Processing Unit)１１ａ、ＲＯＭ(Read Only Memory)１１ｂ、およびＲＡＭ(Random Access Memory)１１ｃからなる制御部１１と、処理プログラムや処理に必要なデータ等が記憶されている記憶部１２と、タッチパネルを一体的に設けた表示部１３ａおよび操作キー群で構成された操作部１３ｂからなる操作パネル１３と、ネットワークＬＮに接続しインターネットサーバ２０との間で通信を行う通信部１４と、原稿１７をスキャンして画像データを入力する画像読取部１５と、画像データを印刷して印刷物１８として出力する印刷部１６とを備える。
【００１９】
画像読取部１５は、原稿１７に光を照射し、反射してくる光をＣＣＤ(Charge Coupled Device)で読み取り、画像データに変換するスキャナ装置である。また、印刷部１６は、
例えば、電子写真方式のプリンタ装置であって、画像データをトナー画像として記録紙に印刷する。
【００２０】
また、制御部１１は、図２（Ｂ）に示すように、電子ファイル変換部１１１、ファイル名付与部１１２、電子ファイルアップロード部１１３、およびアクセス情報印刷指示部１１４として機能するが、これら各部はスキャンサービス処理プログラムの一部として記憶部１２に記憶されている。そして、スキャンサービスの実行時にＣＰＵ１１ａがこのスキャンサービス処理プログラムを記憶部１２からＲＡＭ１１ｃに読み出して、ＲＡＭ１１ｃ上でスキャンサービス処理プログラムが実行される。
【００２１】
図３は、本発明に係るインターネットサーバ２０の構成例を示すブロック図である。図３（Ａ）はインターネットサーバ２０の要部構成を示し、図３（Ｂ）は制御部の構成を示す。インターネットサーバ２０は、データ保管センタに設置されており、汎用的なコンピュータとして構成され、各店舗のＭＦＰ１０から送信されてくる電子ファイルを保存するファイリングサーバとしての機能を備える。
【００２２】
図３（Ａ）に示すように、インターネットサーバ２０は、ＣＰＵ２１ａ、ＲＯＭ２１ｂ、およびＲＡＭ２１ｃからなる制御部２１と、処理プログラムや処理に必要なデータ等が記憶されている記憶部２２と、電子ファイルを保存する電子ファイル記憶部２３と、キーボードなどの操作部２４と、液晶ディスプレイなどの表示部２５と、ネットワークＬＮに接続しＭＦＰ１０との間で通信を行う通信部２６とを備える。
【００２３】
また、制御部２１は、図３（Ｂ）に示すように、電子ファイルアクセス要求受付部２１１、電子ファイルアクセス要求判定部２１２、および電子ファイル送信部２１３として機能するが、これら各部はスキャンサービス処理プログラムの一部として記憶部２２に記憶されている。そして、スキャンサービスの実行時にＣＰＵ２１ａがこのスキャンサービス処理プログラムを記憶部２２からＲＡＭ２１ｃに読み出して、ＲＡＭ２１ｃ上でスキャンサービス処理プログラムが実行される。
【００２４】
ここで、上述のスキャンサービス処理プログラムは、ＭＦＰ１０にインストールされるクライアント側プログラムと、インターネットサーバ２０にインストールされるサーバ側プログラムに分散されている。すなわち、クライアント側プログラムは、電子ファイル変換部１１１、ファイル名付与部１１２、電子ファイルアップロード部１１３、およびアクセス情報印刷指示部１１４として機能し、サーバ側プログラムは、電子ファイルアクセス要求受付部２１１、電子ファイルアクセス要求判定部２１２、および電子ファイル送信部２１３として機能する。
【００２５】
本発明の主たる目的は、スキャンした画像の電子ファイルを、情報漏洩のリスクを低減しつつ、簡単な操作でユーザに提供することにある。このための構成として、ＭＦＰ１０は、図１，図２に示すように、原稿１７をスキャンして画像データを入力する画像読取部１５と、入力した画像データを所定のデータ形式の電子ファイルに変換する電子ファイル変換部１１１と、変換した電子ファイルにファイル名を付与するファイル名付与部１１２と、ファイル名が付与された電子ファイルをインターネットサーバ２０にアップロードする電子ファイルアップロード部１１３と、アップロードした電子ファイルのファイル名およびインターネットサーバ２０のアドレスを含むアクセス情報を印刷した印刷物１８を出力するアクセス情報印刷部とを備える。なお、アクセス情報印刷部は、アクセス情報印刷指示部１１４と印刷部１６とにより実現される。
【００２６】
上記において、電子ファイル変換部１１１は、画像読取部１５で読み取った画像データを、例えば、ＪＰＥＧ(Joint Photographic Experts Group)，ＰＮＧ(Portable Network Graphics)，ＰＤＦ(Portable Document Format)などの所定のデータ形式の電子ファイル
に変換する。ファイル名付与部１１２は、電子ファイル変換部１１１で変換された電子ファイルに固有のファイル名を付与する。このファイル名は個々に識別可能であれば特に限定されるものではないが、例えば、店舗ＡＢＣのＭＦＰ１０であれば、スキャンサービスを受け付けた順に、「ＡＢＣ００１」、「ＡＢＣ００２」、・・・などとすればよい。
【００２７】
電子ファイルアップロード部１１３は、ファイル名付与部１１２でファイル名が付与された電子ファイルをインターネットサーバ２０に通信部１４を介してアップロードする。つまり、電子ファイルがそのファイル名と共にインターネットサーバ２０にアップロードされる。また、アクセス情報印刷指示部１１４は、インターネットサーバ２０にアクセスし電子ファイルを取得するために必要なアクセス情報を印刷するように印刷部１６に指示し、印刷部１６は、この印刷指示に応じて、アクセス情報を印刷した印刷物１８を出力する。アクセス情報は、電子ファイルのファイル名と、インターネットサーバ２０のアドレス（例えば、ＵＲＬ（Uniform Resource Locator）、電子メールアドレスなど）とを含むものである。なお、このアクセス情報を印刷する際に、ユーザが原稿画像の内容を把握できるように、例えば、原稿画像のサムネイル画像や、原稿画像の一部を印刷するようにしてもよい。
【００２８】
そして、ユーザは、印刷物１８に示されたアクセス情報（電子ファイル名およびインターネットサーバ２０のアドレス）を携帯端末３０に入力することにより、携帯端末３０からインターネットサーバ２０にアクセスすることができる。なお、携帯端末３０へのアクセス情報の入力を簡単にするために、アクセス情報を構成する電子ファイル名およびインターネットサーバ２０のアドレスを例えばＱＲコード（登録商標）に変換し、このＱＲコードを印刷した印刷物１８を出力するようにしてもよい。この場合、ユーザは携帯端末３０によって印刷物１８のＱＲコードを読み取るだけで、電子ファイルへのアクセス情報を簡単に入力することができる。このようにして、携帯端末３０に入力されたアクセス情報に基づき、携帯端末３０からインターネットサーバ２０に対して、電子ファイル名を含む電子ファイルアクセス要求が送信される。
【００２９】
次に、インターネットサーバ２０の構成について図３に基づいて説明する。インターネットサーバ２０は、ＭＦＰ１０からアップロードされた電子ファイルを記憶する電子ファイル記憶部２３と、アクセス情報のファイル名を含む電子ファイルアクセス要求を携帯端末３０から通信部２６を介して受け付ける電子ファイルアクセス要求受付部２１１と、受け付けた電子ファイルアクセス要求が有効か否かをファイル名に基づき判定する電子ファイルアクセス要求判定部２１２と、電子ファイルアクセス要求が有効と判定した場合に、電子ファイルアクセス要求に応じた電子ファイルを電子ファイル記憶部２３から抽出し、抽出した電子ファイルを携帯端末３０に通信部２６を介して送信する電子ファイル送信部２１３とを備える。
【００３０】
上記において、電子ファイルアクセス要求判定部２１２は、ＭＦＰ１０からアップロードされた電子ファイルのファイル名と、電子ファイルアクセス要求受付部２１１で受け付けた電子ファイルアクセス要求に含まれるファイル名とを照合し、両者が一致した場合、受け付けた電子ファイルアクセス要求を有効と判定する。
【００３１】
ここで、スキャンサービスを利用したあるユーザが印刷物１８をどこかに置き忘れるなどした場合、第三者によって印刷物１８のアクセス情報を知られてしまう虞がある。このような場合、第三者が自分の携帯端末からインターネットサーバ２０にアクセスし、ユーザの電子ファイルを不正に取得できてしまうという問題が起こり得る。
【００３２】
そこで、ＭＦＰ１０のファイル名付与部１１２は、電子ファイル変換部１１１により変換された電子ファイルに、電子ファイルのファイル名に加え、さらに、電子ファイルへのアクセスを制限するアクセス制限情報を付与するようにしてもよい。このアクセス制限情報としては、例えば、暗証番号や、スキャンした日時、あるいは、ＭＦＰ１０の識別番号など、ユーザしか知りえない情報が設定される。具体的には、ＭＦＰ１０は、操作パネル１３を介してユーザからのアクセス制限情報の設定を受け付ける。そして、電子ファイルアップロード部１１３は、電子ファイルと共に、そのファイル名およびアクセス制限情報をインターネットサーバ２０にアップロードする。
【００３３】
インターネットサーバ２０は、任意の携帯端末から電子ファイルアクセス要求を受け付けた際に、対応する電子ファイルにアクセス制限情報が設定されている場合、携帯端末に対して、アクセス制限情報の入力を要求する。例えば、暗証番号の入力を要求する。電子ファイルの正規のユーザであれば、携帯端末から正しい暗証番号を入力できるが、そうでない非正規の第三者は暗証番号を知らないため、正しく入力できない。インターネットサーバ２０は、暗証番号が一致しない場合には、受け付けた電子ファイルアクセス要求を無効と判定し、携帯端末に電子ファイルを送信しない。これにより、正規ユーザ以外の第三者が電子ファイルを不正に取得することを防止することができる。
【００３４】
また、アクセス制限情報として、電子ファイルへのアクセス可能期間またはアクセス可能回数を含むようにしてもよい。この場合も、上記と同様に、ＭＦＰ１０は、操作パネル１３を介してユーザからのアクセス制限情報の設定を受け付ける。アクセス可能期間であれば、例えば、原稿のスキャンから５分以内、また、アクセス可能回数であれば、例えば、１回というようにユーザにより設定することができる。そして、電子ファイルアップロード部１１３は、設定されたアクセス可能期間またはアクセス可能回数を、電子ファイルと共にインターネットサーバ２０にアップロードする。
【００３５】
インターネットサーバ２０は、アクセス可能期間として、原稿のスキャンから５分以内が設定されている場合、原稿のスキャンから５分を超えて受け付けた電子ファイルアクセス要求は全て無効と判定する。また、アクセス可能回数として、１回が設定されている場合、２回目以降に受け付けた電子ファイルアクセス要求は全て無効と判定する。このようなアクセス制限を行うことで、情報漏洩のリスクをさらに低減することが可能となる。
【００３６】
図４は、ＭＦＰ１０による初期表示処理の一例を説明するためのフロー図である。ＭＦＰ１０に電源が投入されると、初期表示処理が実行される（ステップＳ１）。この初期表示処理は、ＭＦＰ１０の表示部１３ａに図５に例示したようなサービス選択画面を表示し、ユーザの希望するサービスの選択指示を促す。
【００３７】
図５のサービス選択画面４０には、コピーサービス４１、プリントサービス４２、スキャンサービス４３、ファクシミリサービス４４等の選択ボタンが表示され、ユーザは、所望の選択ボタンをタッチすることにより、自分の希望するサービスを選択指示する。
【００３８】
次に、サービス選択画面４０からスキャンサービス４３が選択されたか否かを判定し（ステップＳ２）、スキャンサービス４３が選択されたと判定した場合（ＹＥＳの場合）、スキャンサービス処理が実行され（ステップＳ３）、スキャンサービス処理の実行後、ステップＳ１の初期表示処理に戻る。また、ステップＳ２において、スキャンサービス４３が選択されていないと判定した場合（ＮＯの場合）、他のサービス処理が実行され（ステップＳ４）、他のサービス処理の実行後、ステップＳ１の初期表示処理に戻る。
【００３９】
図６は、図１のスキャンサービスシステムによるスキャンサービス方法の一例について説明するためのフロー図である。まず、ＭＦＰ１０は、表示部１３ａに図５のサービス選択画面４０を表示した状態で、ユーザによってスキャンサービス４３が選択されたか否かを判定する（ステップＳ１１）。ユーザによってスキャンサービス４３が選択されたと判定した場合（ＹＥＳの場合）、コインベンダ（図示せず）に料金（例えば、１０円／枚とし、１０円以上の料金）が投入されたか否かを判定する（ステップＳ１２）。また、ステップＳ１１において、ユーザによってスキャンサービス４３が選択されていないと判定した場合（ＮＯの場合）、ステップＳ１１で待機状態に移行する。なお、スキャンサービス４３以外の他のサービスが選択された場合には、選択された他のサービスの処理を実行する。
【００４０】
ＭＦＰ１０は、ステップＳ１２において、コインベンダに料金が投入されたと判定した場合（ＹＥＳの場合）、原稿をスキャナにセットし、スキャン開始ボタンを押下するよう促すメッセージを表示部１３ａに表示する（ステップＳ１３）。例えば、「原稿をスキャナにセットし、スキャン開始ボタンを押下して下さい。」というメッセージを表示する。また、ステップＳ１２において、コインベンダに料金が投入されていないと判定した場合（ＮＯの場合）、ステップＳ１１に戻り処理を繰り返す。
【００４１】
次に、ＭＦＰ１０は、ユーザによってスキャン開始ボタンが押下されたか否かを判定し（ステップＳ１４）、スキャン開始ボタンが押下されたと判定した場合（ＹＥＳの場合）、原稿画像をスキャンして画像データを入力する（ステップＳ１５）。また、スキャン開始ボタンが押下されていないと判定した場合（ＮＯの場合）、ステップＳ１３に戻り処理を繰り返す。
【００４２】
次に、ＭＦＰ１０は、ステップＳ１５で入力した画像データを所定のデータ形式（ＰＤＦ形式など）の電子ファイルに変換し（ステップＳ１６）、変換した電子ファイルにファイル名を付与する（ステップＳ１７）。そして、ＭＦＰ１０は、ファイル名の付与された電子ファイルをインターネットサーバ２０にアップロードし（ステップＳ１８）、電子ファイルのファイル名およびインターネットサーバ２０のアドレス（ＵＲＬ）を含むアクセス情報を印刷する（ステップＳ１９）。
【００４３】
インターネットサーバ２０は、ＭＦＰ１０からアップロードされた電子ファイルを記憶する（ステップＳ２０）。また、ユーザは、ステップＳ１９で印刷されたアクセス情報に基づいて、自分の携帯端末３０からインターネットサーバ２０に、ファイル名を含む電子ファイルアクセス要求を送信する（ステップＳ２１）。
【００４４】
次に、インターネットサーバ２０は、携帯端末３０から電子ファイルアクセス要求を受信したか否かを判定し（ステップＳ２２）、電子ファイルアクセス要求を受信したと判定した場合（ＹＥＳの場合）、受信した電子ファイルアクセス要求が有効か否かをファイル名に基づき判定する（ステップＳ２３）。具体的には、ＭＦＰ１０からアップロードされた電子ファイルのファイル名と、携帯端末３０からの電子ファイルアクセス要求に含まれるファイル名とを照合し、両者が一致した場合、受け付けた電子ファイルアクセス要求を有効と判定する。
【００４５】
インターネットサーバ２０は、ステップＳ２３において、携帯端末３０からの電子ファイルアクセス要求が有効と判定した場合（ＹＥＳの場合）、電子ファイルアクセス要求に対応する電子ファイルを携帯端末３０に送信する（ステップＳ２４）。また、ステップＳ２３において、携帯端末３０からの電子ファイルアクセス要求が有効でないと判定した場合（ＮＯの場合）、ステップＳ２２に戻り処理を繰り返す。なお、前述したように、電子ファイルにアクセス制限情報が設定されている場合には、電子ファイルのファイル名の一致／不一致の判定に加え、アクセス制限情報についての判定が行われる。
【００４６】
上記のアクセス制限情報として、例えば、暗証番号や、スキャンした日時、あるいは、ＭＦＰ１０の識別番号などが設定されている場合には、インターネットサーバ２０は、携帯端末３０に対して、アクセス制限情報の入力を要求する。具体的には、暗証番号が設定されていれば、暗証番号の入力を要求する。そして、インターネットサーバ２０は、電子ファイル名および暗証番号が一致すると判定した場合は、携帯端末３０からの電子ファイルアクセス要求を有効と判定し、携帯端末３０に電子ファイルを送信する。また、電子ファイル名が一致しても暗証番号が一致しないと判定した場合には、携帯端末３０からの電子ファイルアクセス要求を無効と判定し、携帯端末３０に電子ファイルを送信しない。
【００４７】
また、アクセス制限情報として、電子ファイルへのアクセス可能期間またはアクセス可能回数を設定するようにしてもよい。アクセス可能期間として、例えば、原稿のスキャンから５分以内が設定されている場合、原稿のスキャンから５分を超えて受け付けた電子ファイルアクセス要求は全て無効と判定する。また、アクセス可能回数として、例えば、１回が設定されている場合、２回目以降に受け付けた電子ファイルアクセス要求は全て無効と判定する。
【００４８】
上記において、インターネットサーバ２０は、電子ファイル名が一致し、且つ、原稿のスキャンから５分以内のアクセスまたは１回目のアクセスと判定した場合には、携帯端末３０からの電子ファイルアクセス要求を有効と判定し、携帯端末３０に電子ファイルを送信する。また、電子ファイル名が一致し、且つ、原稿のスキャンから５分経過後のアクセスまたは２回目以降のアクセスと判定した場合には、携帯端末３０からの電子ファイルアクセス要求を無効と判定し、携帯端末３０に電子ファイルを送信しない。
【００４９】
そして、携帯端末３０は、インターネットサーバ２０から電子ファイルを受信したか否かを判定し（ステップＳ２５）、インターネットサーバ２０から電子ファイルを受信したと判定した場合（ＹＥＳの場合）、処理を終了する。また、ステップＳ２５において、インターネットサーバ２０から電子ファイルを受信しないと判定した場合（ＮＯの場合）、ステップＳ２５で電子ファイルの受信待ち状態に移行する。
【００５０】
本発明によるスキャンサービス方法としての機能をコンピュータに実行させるためのプログラム（スキャンサービス処理プログラム）を記録した記録媒体の実施形態について説明する。記録媒体としては、具体的には、ＣＤ−ＲＯＭ（−Ｒ／−ＲＷ）、光磁気ディスク、ＨＤ（ハードディスク）、ＤＶＤ−ＲＯＭ（−Ｒ／−ＲＷ／−ＲＡＭ）、ＦＤ（フレキシブルディスク）、フラッシュメモリ、メモリカードや、メモリスティック及びその他各種ＲＯＭやＲＡＭ等が想定でき、これら記録媒体に上述した本発明のスキャンサービス方法をコンピュータに実行させるためのプログラムを記録して流通させることにより、当該方法の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明によるスキャンサービス方法を実行することができる。
【符号の説明】
【００５１】
１０…画像形成装置（ＭＦＰ）、１１，２１…制御部、１１ａ，２１ａ…ＣＰＵ、１１ｂ，２１ｂ…ＲＯＭ、１１ｃ，２１ｃ…ＲＡＭ、１２，２２…記憶部、１３…操作パネル、１３ａ，２５…表示部、１３ｂ，２４…操作部、１４，２６…通信部、１５…画像読取部、１６…印刷部、１７…原稿、１８…印刷物、２０…サーバ装置（インターネットサーバ）、２３…電子ファイル記憶部、３０…個人通信端末（携帯端末）、４０…サービス選択画面、４１…コピーサービス、４２…プリントサービス、４３…スキャンサービス、４４…ファクシミリサービス、１１１…電子ファイル変換部、１１２…ファイル名付与部、１１３…電子ファイルアップロード部、１１４…アクセス情報印刷指示部、２１１…電子ファイルアクセス要求受付部、２１２…電子ファイルアクセス要求判定部、２１３…電子ファイル送信部。
【図１】
2018160900.tif 000003
【図２】
2018160900.tif 000004
【図３】
2018160900.tif 000005
【図４】
2018160900.tif 000006
【図５】
2018160900.tif 000007
【図６】
2018160900.tif 000008